(57)【特許請求の範囲】
【請求項１】
蓄熱部に配置された蓄熱槽と、
前記蓄熱部に仕切板を挟んで対向する送風部に配置された送風機と、
前記仕切板の上方に位置する空気排出口と、
前記送風機の送風経路を前記蓄熱槽側か前記空気排出口側かに切り換えるダンパーと、
前記送風部に配置され、被暖房室内の温度を検知する温度検知手段とを備え、
暖房運転中は前記送風機を運転しつつ前記蓄熱槽への送風経路を開け、暖房運転停止時には前記蓄熱槽への送風経路を閉じ、前記空気排出口への送風経路を開けるように前記ダンパーを制御するとともに、暖房運転開始時においては、前記温度検知手段による温度検知に先立ち前記送風機を運転することを特徴とする、蓄熱式暖房機。
【請求項２】
前記ダンパーを回転駆動するダンパモータをさらに備え、
前記送風経路を前記蓄熱槽側か前記空気排出口側かに切換える際に、当該切換えに必要な前記ダンパーの回転角度よりも大きい回転駆動力を前記ダンパモータによって前記ダンパーに与えることを特徴とする、請求項１に記載の蓄熱式暖房機。
【請求項３】
前記ダンパーを回転駆動するダンパモータをさらに備え、
前記送風経路を前記蓄熱槽側か前記空気排出口側かに切換えた状態において、前記ダンパーの切換え状態を維持するために、前記ダンパモータによって前記ダンパーに一定時間毎に一定の回転駆動力を与えることを特徴とする、請求項１または２に記載の蓄熱式暖房機。
【請求項４】
前記蓄熱槽を備えた蓄熱部と前記送風機を備えた送風部とを別々に構成し一体化してなることを特徴とする、請求項１から３のいずれかに記載の蓄熱式暖房機。
【請求項５】
暖房運転停止時においても、前記温度検知手段による検知温度が所定温度以上である場合には、前記送風機を運転することを特徴とする、請求項１から４のいずれかに記載の蓄熱式暖房機。
【発明の詳細な説明】
【０００１】
【発明の属する技術分野】
本発明は、蓄熱式暖房機に関するものであり、蓄熱部を効率良く蓄熱すると共に、送風部は耐熱温度の低い樹脂成型品の使用を可能にするものである。
【０００２】
【従来の技術】
本件出願内容をより良く理解できるように、空気清浄機と蓄熱式電気ファンヒーターとを組み合わせて一体化した空気清浄機能付き蓄熱式電気ファンヒーターを具体例として取り上げ以下説明する。
【０００３】
図３、図４にその概略構成を説明する断面図を示している。蓄熱槽５１、送風機５９、空気排出口としての清浄空気吹出口（空気排出口）７０、及び送風機５９の送風経路を蓄熱槽５１側か清浄空気吹出口７０側かに切り換えるダンパー６７とを備えた暖房機である。
【０００４】
図３は空気清浄機としての使用状態を示し、蓄熱槽５１は使用しないのでダンパー６７は蓄熱槽５１への送風経路を閉じ、送風機５９からの空気は清浄空気吹出口７０から吹き出される。なお、図３の矢印にて空気の流れを示している。
【０００５】
まず急速ファン清浄運転においては送風機５９が運転され前面パネル８０より吸い込まれた室内の空気は電気集塵機８１及び空気清浄フィルタ６３で集塵されてクリーンな空気となって本体上部の清浄口吹出口７０より室内へ戻される。
【０００６】
また無風イオン清浄運転においては送風機５９を運転せずにイオン風を利用した電気集塵処理するものである。このように空気清浄機として使用には急速ファン清浄運転と無風イオン清浄運転があるが、これらを総称して「空気清浄運転」と以下称する。
【０００７】
図４は蓄熱式電気ファンヒーター（暖房機）としての使用状態を示し、ダンパー６７は蓄熱槽５１への送風経路が開けられ、清浄空気吹出口７０への送風経路が閉ざされている。
【０００８】
送風機５９が運転され前面パネル８０より吸い込まれた室内の空気は空気清浄フィルタ６３及び電気集塵機８１で集塵されてクリーンな空気となり、ダンパー６７にて蓄熱槽５１への送風経路が開けられていることから蓄熱部に入り、蓄熱されている蓄熱槽５１から熱を奪い暖風となり、さらに温風ヒーター７３にて加熱されて、本体前面下部の温風吹出口７５から室内へ温風を吹き出し、室内を暖房する。なお、図４の矢印にて空気の流れを示している。以下、蓄熱式暖房機として使用は「クリーン暖房運転」と称する。
【０００９】
次にダンパー６７の動作について説明する。特に図示していないが、ダンパー６７の上端部はその両端を軸支してその一端をステッピングモータに連結しており、ステッピングモータを制御してダンパーの開閉を制御している。
【００１０】
また蓄熱槽５１への送風経路を開け、清浄空気吹出口７０への開口部を閉じるのを「ダンパー開」、逆に蓄熱槽５１への送風経路を閉じ、清浄空気吹出口７０への開口部を開けるのを「ダンパー閉」として説明する。
【００１１】
▲１▼電源投入時（機器本体のプラグをコンセントに差し込んだとき）はダンパー「閉」の方向へステッピングモータを回転させダンパー６７を閉じる。
▲２▼クリーン暖房運転の開始時にはダンパー「開」の方向へ回転させ、ダンパー６７を開け、クリーン暖房運転中はダンパー「開」を保持する。
▲３▼空気清浄運転開始時にはダンパー「閉」の方向へ回転させ、ダンパー６７を閉じ、空気清浄運転中はダンパー「閉」を保持する。
▲４▼蓄熱槽５１に内蔵のヒータに通電し蓄熱槽５１に蓄熱する動作を以下「蓄熱運転」と称する。蓄熱運転開始時にはダンパー「閉」の方向へ回転させ、ダンパー６７を閉じ、蓄熱運転中はダンパー「閉」を保持し、送風機５９は運転しない。
【００１２】
【発明が解決しようとする課題】
上記従来例では次のような問題があった。
【００１３】
クリーン暖房運転を停止したとき、特にダンパー「閉」動作は行われず、ダンパー６７は開いたままであった。次に何らかの運転を指示したときは、その運転開始時にダンパー「開」又は「閉」動作が行われるから特に必要ないとの判断であった。しかしながらクリーン暖房運転を停止したとき、蓄熱槽５１はその蓄熱を十分に放熱しきっているとは限らない。それまでの蓄熱の状態、蓄熱を放熱させる暖房運転の経過時間によるが、蓄熱槽５１がまだ相当な高温である場合がある。ダンパー６７の蓄熱部への送風経路の開口部であるダンパ開口５７が開けられたままでは、高温の蓄熱槽５１の熱は「送風部」にも及ぶことになる。なおここで「送風部」とは単に送風機５９のみを指すのではなく、送風機５９を含む構成体を指している。
【００１４】
従って▲１▼送風部にも相当な耐熱が要求されることになる。
▲２▼蓄熱槽５１の熱が放出され無駄になることがある。
【００１５】
また暖房機は室温を検知しユーザーの望む設定温度に室温を制御しようとするために、また室温表示などのために送風部の送風経路に温度検知手段を備え、送風機５９により室内の被暖房空気を吸引し、室内温度を検知している。
【００１６】
しかるに蓄熱槽５１があるため、通常蓄熱槽５１からの熱影響により温度検知手段の設置されている送風部の送風経路は多少温度が上がり気味であり、正確な室内温度の検知のために、検知温度に対して補正をかけていた。温度検知手段の設置位置（蓄熱槽５１との伝熱性を踏まえた関係位置、送風機５９による風の冷却の度合い及び送風機５９のモータの発熱も関係するため送風機５９との関係位置）、蓄熱槽５１の蓄熱の度合い（蓄熱温度（放熱状況）、蓄熱ヒータの通電時間）などでも変わるが８゜Ｃ〜３゜Ｃの補正が必要であり、製品構造によっては２０゜Ｃ〜３゜Ｃの補正が必要な場合もあった。
【００１７】
このため製品試作の段階で実機による実験を繰り返し、その測定データから補正値を求め、マイクロコンピュータのＲＯＭに覚え込ませていた。またそのときの運転経過により蓄熱状況を推定したり、蓄熱槽５１の温度検知手段にて蓄熱槽５１の温度を測定して使用する補正値を選択していた。このように正確な室温を検知するために複雑な補正を必要としていた。なお蓄熱槽５１の温度は適正に制御する必要があることから、別に蓄熱槽５１の温度検知手段を備えている。
【００１８】
本発明は上記課題を解決することを目的とするものである。
【００１９】
【課題を解決するための手段】
本発明の蓄熱式暖房機は上記課題を解決するために、蓄熱部に配置された蓄熱槽と、前記蓄熱部に仕切板を挟んで対向する送風部に配置された送風機と、前記仕切板の上方に位置する空気排出口と、前記送風機の送風経路を前記蓄熱槽側か前記空気排出口側かに切り換えるダンパーと、前記送風部に配置され、被暖房室内の温度を検知する温度検知手段とを備え、暖房運転中は前記送風機を運転しつつ前記蓄熱槽への送風経路を開け、暖房運転停止時には前記蓄熱槽への送風経路を閉じ、前記空気排出口への送風経路を開けるように前記ダンパーを制御するとともに、暖房運転開始時においては、前記温度検知手段による温度検知に先立ち前記送風機を運転するものである。
【００２０】
また前記ダンパーを回転駆動するダンパモータをさらに備え、前記送風経路を前記蓄熱槽側か前記空気排出口側かに切換える際に、当該切換えに必要な前記ダンパーの回転角度よりも大きい回転駆動力を前記ダンパモータによって前記ダンパーに与えるものである。
また前記ダンパーを回転駆動するダンパモータをさらに備え、前記送風経路を前記蓄熱槽側か前記空気排出口側かに切換えた状態において、前記ダンパーの切換え状態を維持するために、前記ダンパモータによって前記ダンパーに一定時間毎に一定の回転駆動力を与えるのである。
また前記蓄熱槽を備えた蓄熱部と前記送風機を備えた送風部とを別々に構成し一体化してなるものである。
【００２１】
また暖房運転停止時においても、前記温度検知手段による検知温度が所定温度以上である場合には、前記送風機を運転するものである。
【００２３】
本発明によれば、暖房運転を停止したとき、ダンパーにより蓄熱槽への送風機の送風経路となる蓄熱部上部のダンパ開口が閉じられ、蓄熱部の下部開口部（ヒータ開口８）から蓄熱槽で熱を奪い、蓄熱部上部の開口部（ダンパ開口７）へと上昇する自然対流が阻害され、また蓄熱部上部の開口部（ダンパ開口７）からの熱影響も軽減される。また逆に送風部の熱は空気吸込口（前面パネル３０）から開いている空気排出口（清浄空気吹出口２０）側への送風経路の自然対流により冷却される。また上述により無駄に蓄熱槽の熱を放出することが軽減される。
【００２４】
また蓄熱部と送風部とを別々に構成し一体化してなるものであるから高温に蓄熱される蓄熱部の高温に耐えるどちらかと言えば高価になる構造体部分を限定し、送風機の冷却により比較的に低温である送風部の構造体を安価な構成となし得る。
【００２５】
また送風部に温度検知手段を備え、所定温度以上では暖房運転停止時であっても送風機を運転するから、万一耐熱性の低い構成からなる送風部が高温になれば、送風機を運転し送風部の構造体を冷却することができる。
【００２６】
また本発明では送風部の送風経路に温度検知手段を備え、温度検知に先立ち送風機を運転し温度検知手段の蓄熱槽からの熱影響を軽減させ得る。
【００２７】
【発明の実施の形態】
以下、本発明に係る蓄熱式暖房機の実施の形態について、従来例と同じく空気清浄機能付き蓄熱式電気ファンヒーターを具体例として取り上げ以下説明する。
【００２８】
図１、図２にその構造を説明する断面図を示している。図１ではダンパー１７が閉じた状態、つまり蓄熱槽１への送風経路を閉じ、清浄空気吹出口（空気排出口）２０への送風経路を開けた状態を図示している。図２ではダンパー１７が開いた状態、つまり蓄熱槽１への送風経路を開け、清浄空気吹出口（空気排出口）２０への送風経路を閉じた状態を図示している。
【００２９】
空気清浄機能付き蓄熱式電気ファンヒーターの構造は前部構成体Ａ、後部構成体Ｂの２つの構成体を前後に組み合わせて一体化、具体的には合体している。
【００３０】
前部構成体Ａは製品前部の構成体で、本件にて「送風部」と称している構成体であり、本実施の形態では送風機のほかに、空気清浄のためのフィルタ１３、電気集塵機３１、暖房機のための温風ヒータ部分３７、及びこれらを取り付ける構成体を含んでいる。
【００３１】
後部構成体Ｂは製品後部の構成体で、本件にて「蓄熱部」と称している構成体である。
【００３２】
まず後部構成体Ｂについてその構成を説明する。
蓄熱槽１の金属板からなる蓄熱槽容器の内部には特殊ポリエチレンからなる蓄熱材とこの蓄熱材に熱を供給する蓄熱ヒータとを備えている。
【００３３】
亜鉛鋼板ＳＰＧからなる蓄熱カバー２、亜鉛鋼板ＳＰＧからなる仕切板３は図示を省略している金属板製の連結板により蓄熱槽１を囲うと共に蓄熱槽１からの熱を受け取り放熱する送風経路を形成している。ＣＡ−ＰＰ（炭酸カルシュウムを混入させたポリプロピレン）樹脂で成型された裏板４は蓄熱カバー２を覆って組み立てられた後部構成体Ｂの後部外観部品である。
【００３４】
仕切板３の上方部分には、後述する前部構成体Ａのダンパー１７に対応する位置に開口部であるダンパ開口７が、仕切板３の下方部分には前部構成体Ａの温風ヒータ部分３７に対応する位置に開口部であるヒータ開口８が設けられている。仕切板３は後部構成体Ｂの前部壁である。
【００３５】
蓄熱槽１の蓄熱槽容器には蓄熱サーミスタ５が、仕切板３には蓄熱温度ヒューズ６がそれぞれ設けられている。蓄熱サーミスタ５は蓄熱運転時に前記蓄熱ヒータを１４４℃でＯＮ、１４８℃でＯＦＦと制御するために蓄熱槽容器の温度を感知するもので、蓄熱温度ヒューズ６は万一蓄熱部が異常過熱したときに蓄熱ヒータをＯＦＦさせるための安全装置である。
以上が「蓄熱部」である後部構成体Ｂの構成である。
【００３６】
次に前部構成体Ａの構成を説明する。
耐熱ＡＢＳ樹脂成型品である本体基板１５にはＰＰ樹脂成型のシロッコファン１０、ファンモータ１１、ファンケーシングからなる送風機９、空気清浄フィルタ１３、表示基板１４、亜鉛鋼板ＳＰＧからなるファンケース板１６が取り付けられている。
【００３７】
シロッコファン１０の上部にはＳＰＳ樹脂成型品のダンパー１７、このダンパー１７の上端側両端を軸支してその軸の一端に連結したステッピングモータのダンパモータ１８を備えたＰＥＴ（ポリエチレンテレフタレート）樹脂のダンパケース１９でダンパ切り換え送風路を形成している。
【００３８】
ダンパケース１９の上方開口部は後述する天板２２の清浄空気吹出口２０の位置に対応し、下方開口部は送風機９のファンケーシング吹出口の位置に対応し、側面開口部は後部構成体Ｂのダンパ開口７の位置に対応している。
【００３９】
ダンパー１７はダンパモータ１８を制御して、ダンパケース１９の上方開口部か側面開口部かのいずれかの開口部を塞ぎ、送風機９からの送風経路を選択している。上方開口部がダンパー１７で塞がれていると、下方開口部からの送風機９の空気は側面開口部を通り、後部構成体Ｂのダンパ開口７に抜けて行く。他方側面開口部をダンパー１７が塞いでいると、送風機９からの空気はダンパケース１９の上方開口部を経て清浄空気吹出口２０から吹き出すことになる。
【００４０】
ＣＡ−ＰＰ樹脂の天板２２は前部構成体Ａの上面外観構成部品を構成し、清浄空気吹出口２０を含み、操作基板２１を備えている。なお、図示していないが制御回路基板等の電子部品、電装部品を前部構成体Ａの本体内部側部に内蔵している。
【００４１】
前部構成体Ａの下方には温風ヒータ部分３７を構成する、６００Ｗ、６００Ｗ、２００Ｗの３つのヒータからなる温風ヒータ２３、安全のため１３９℃で温風ヒータへの通電を切断する温度ヒューズ２４を備え、構成体Ｂのヒータ開口８から流入する空気流を加熱し、前方の温風吹出口２５より温風を吹き出す構成である。温風吹出口２５の空気流入り口には２１６℃以上で動作し温風ヒータ２３への通電を停止させる過熱サーミスタ２６を、温風吹出口２５の外殻部には６７℃以上で動作し温風ヒータ２３への通電を停止させるヒーターサーミスタ２７を備えている。
【００４２】
温風吹出口２５近傍にはルーバー２８を備えたＰＥＴ樹脂からなるルーバー体２９で前部構成体Ａの下方外観部を構成している。前部構成体Ａの前部外観部を耐熱ＡＢＳ樹脂成型品の前面パネル３０で構成している。
【００４３】
前面パネル３０、ルーバー体２９、温風ヒータ部分３７は本体基板１５に係合して取り付けられている。なお、空気清浄フィルタ１３は所定期間（集塵量によるが、例えば２年間）経過後ユーザーにて交換の必要があることから、前面パネル３０は上部を手前へ引っ張れば嵌合がはずれ下部のツメ２箇所をはずして構成体Ａよりはずすことができる。
【００４４】
ルーバー２８の上部に配置されている電気集塵機３１は集塵前に粗い塵を採るプレフィルター３２、＋６．２ＫＶのイオン線（＋電極線）３３、集塵電極となる−６．２ＫＶのイオン受け（−電極板）３４を備え、送風路となるイオンボックス３５で構成されている。
【００４５】
また定期的に（例えば月に１〜２回）清掃の必要があるプレフィルター３２、年に１度は清掃の必要があるイオン受け（−電極板）３４とイオンボックス３５が組み合わされた放電極ユニットはユーザーが前面パネル３０をはずせば取り出せる構造になっている。
【００４６】
前面パネル３０の本体内面側には＋に帯電した塵が反発して空気清浄フィルタ１３側に向かわせるため＋６．２ＫＶに接続された偏向板３６が設けられている。
【００４７】
図示していないが、前面パネル３０をはずせばレバーによる押圧が解除されてマイクロスイッチが動作解除され電源スイッチがＯＦＦとなる。
【００４８】
ファンケース板１６の上方部分には、後部構成体Ｂのダンパ開口７に対応し、且つ前部構成体Ａのダンパケース１９の側面開口部にも対応する位置に開口部が設けられ、さらにファンケース板１６の下方部分には、後部構成体Ｂのヒータ開口８に対応し、且つ前部構成体Ａの温風ヒータ部分３７にも対応する位置にヒータ開口部３８が設けられている。ファンケース板１６は前部構成体Ａの後部壁である。
【００４９】
操作基板２１には空気清浄機能付き蓄熱式電気ファンヒーターの操作部分及び運転状態表示、蓄熱状態表示等の表示部分が、表示基板１４にも運転状態表示、蓄熱状態表示等の表示部分及び赤外線によるワイヤレスリモートコントロールの受信部が備えられている。運転操作は操作基板２１か、或いはワイヤレスリモートコントロールの操作部分（図示せず）で操作指示できる。
以上が前部構成体Ａの構成である。
【００５０】
本実施の形態の空気清浄機能付き蓄熱式電気ファンヒーターの構造は前部構成体Ａのファンケース板１６と、後部構成体Ｂの仕切板３とを重ね合わせて２つの構成体を前後に組み合わせて一体化している。
【００５１】
蓄熱槽１、送風機９、空気排出口である清浄空気吹出口２０、及び送風機９の送風経路を蓄熱槽１側か空気排出口（清浄空気吹出口２０）側かに切り換えるダンパー１７とを備えた暖房機で、図１ではダンパー１７が閉じた状態、つまり蓄熱槽１への送風経路を閉じ、清浄空気吹出口２０への送風経路を開けた状態で、空気清浄機として使用の「空気清浄運転」時、「運転停止」時及びシロッコファン１０を停止し蓄熱槽１へ蓄熱ヒータで加熱する「蓄熱運転」時にこのダンパー１７閉の状態になる。
【００５２】
空気清浄機として使用の「空気清浄運転」には急速ファン清浄運転と無風イオン清浄運転とがある（正確にはファン清浄運転と無風イオン清浄運転及びファンの風量・運転時間を組み合わせ、さらにはニオイセンサーによる自動切り換えなどで種々の空気清浄運転モードがあるが、詳細な記載は割愛する。）。
【００５３】
急速ファン清浄運転においては送風機９が運転され前面パネル３０より吸い込まれた室内の空気は電気集塵機３１及び空気清浄フィルタ１３で集塵されてクリーンな空気となって本体上部の清浄空気吹出口２０より室内へ戻される。
【００５４】
清浄空気フィルタ１３は酸化チタン処理フィルター、アパタイト処理フィルター、帯電フィルター、脱臭フィルターの４層重ねからなるフィルターであり、ウイルスや雑菌の吸着力と不活化（活動の抑制）を高め、アレルギーの原因ともなるＮＯｘ（車の排気ガスなどに含まれる有害ガス）もキャッチする。
【００５５】
電気集塵機３１は＋電極と−電極とでホコリを＋に帯電させ、−電極に集塵する。また前面パネルの内側には＋電極に接続された偏向板３６があるため、＋に帯電したホコリは反発し、グランドに接続されたフィルターに捕まり集塵されることになる。
【００５６】
また無風イオン清浄運転においては送風機９を運転せずに電気集塵機３１のみを運転するもので、＋電極とー電極とで＋イオンを発生させ、微量な空気の流れをつくると共にホコリを＋に帯電させ、−電極に集塵させたり、＋電極に接続された偏向板３６に＋に帯電したホコリは反発し、フィルター１３側にながれて捕まり集塵されるものである。
【００５７】
図１の白抜きの太い矢印でファン清浄運転時の空気の流れを示し、細い矢印で電気集塵機３１への空気の流れを示している。
【００５８】
図２ではダンパー１７が開いた状態、つまり蓄熱槽１への送風経路を開け、清浄空気吹出口２０への送風経路を閉じた状態で、「クリーン暖房運転」時、即ち電気集塵機３１を運転し、空気清浄フィルタ１３を通過した清浄空気が送風機９により、蓄熱槽１に蓄熱されている熱を受け取り、さらに温風ヒータ２３にて加熱され温風吹出口２５から吹き出すものである。図２の白抜きの太い矢印で空気の流れを示し、細い矢印で電気集塵機３１への空気の流れを示している。
【００５９】
次にダンパー１７の動作について説明する。ダンパー１７の上端部はその両端を軸支してその軸の一端をステッピングモータのダンパモータ１８に連結しており、ダンパモータ１８を制御してダンパー１７の開閉を制御している。回転角度６０°で開閉が完了する。
【００６０】
また蓄熱槽１への送風経路を開け、清浄空気吹出口（空気排出口）２０への開口部を閉じるのを「ダンパー開」、逆に蓄熱槽１への送風経路を閉じ、清浄空気吹出口（空気排出口）２０への開口部を開けるのを「ダンパー閉」として説明する。
【００６１】
▲１▼電源投入時（機器本体のプラグをコンセントに差し込んだとき）ダンパー「閉」の方向へ６５°回転させる。前の運転状態によって既にダンパー閉になっていれば、この６５°の回転駆動力が与えられても動かないだけである。５°の余裕を持ち、６５°回転させるのは下記▲２▼にて述べている。
【００６２】
▲２▼クリーン暖房運転の開始時にはダンパー開の方向へ６５°回転させる。
【００６３】
ダンパモータ１８は故意に外部から軸に回転力を与えられると、その印加された力にまけて回転する。つまりダンパー１７の重みがある上に何らかの振動で回転角度が不足し完全な「開」、「閉」が実現できないと送風経路の制御が不完全になり、送風の洩れが生じ、空気流が不足する。
そこで５°の余裕を持ち、６５°回転させる。６０°で完全に「開」となった場合あとの５°は回転駆動力が与えられても動かないだけである。
クリーン暖房運転中も万一完全な「開」が保たれてないと困るので安全をみて４分経過ごとに更に１０°の回転駆動力を与えて完全な「開」が保たれるように配慮している。
クリーン暖房運転を停止したとき、ダンパー「閉」の方向へ６５°回転させ、ダンパー１７を閉じる。
【００６４】
▲３▼空気清浄運転開始時にはダンパー「閉」の方向へ６５°回転させる。前の運転状態によって既にダンパー閉になっていれば、この６５°の回転駆動力が与えられても動かないだけである。
また空気清浄運転中は前述の如く、４分経過ごとに更に１０°の回転駆動力を与えて完全な「閉」が保たれるように配慮している。
【００６５】
▲４▼蓄熱運転時にはダンパー１７は閉じられ、送風機３７は運転しない。
蓄熱運転開始時にはダンパー「閉」の方向へ６５°回転させる。前の運転状態によって既にダンパー閉になっていれば、この６５°の回転駆動力が与えられても動かないだけである。
また蓄熱運転中は前述の如く、４分経過ごとに更に１０°の回転駆動力を与えて完全な「閉」が保たれるように配慮している。
【００６６】
本実施の形態では上記のクリーン暖房運転の停止時にダンパモータ１８を動作させ、ダンパー１７を閉じている。このため暖房運転停止時にはダンパー１７は蓄熱槽１への送風経路を閉じ、清浄空気吹出口２０への送風経路を開いている。
【００６７】
クリーン暖房運転を停止したとき、蓄熱槽１はそれまでの運転経過によるが、相当な高温である場合がある。ダンパー１７が開けられたままでは、本体下部の温風吹出口２５から温風ヒータ部分３７、ヒータ開口部３８、ヒータ開口８、蓄熱槽１、ダンパ開口７へと上方へ自然対流しその熱は「送風部」の送風機９、本体基板１５等にも及ぶことになり、送風部に相当な耐熱性能が要求されること、また蓄熱槽１の熱の無駄な放出が生じる。本実施の形態では上記欠点が回避されると共に本体上部の清浄空気吹出口２０への送風機９からの送風経路が開かれているため、前部構成体Ａは後部後部Ｂの蓄熱槽１からの熱の影響を受けても前面パネル３０、電気集塵機へ３１の室内空気吸込部分等からの空気は清浄空気吹出口２０へ抜けて「送風部」を冷却する。
【００６８】
また蓄熱部の後部構成体Ｂと送風部の前部構成体Ａとを別々に構成し合体してなるものであるから高温に蓄熱される蓄熱部の高温に耐えるどちらかと言えば高価になる構造体部分を限定し、送風機９の風による冷却で比較的に低温である送風部の構造体を安価な構成となし得る。
【００６９】
クリーン暖房運転には「自動」運転（室温２２℃になるように、自動的に速暖・強・弱の運転を切り換える。）、「弱」運転（消費電力６００Ｗ、風量１．０立方ｍ／分）、「強」運転（消費電力１２００Ｗ、風量１．２立方ｍ／分）、「速暖」運転（消費電力１３９５Ｗ、風量１．２立方ｍ／分、６０分後強運転に切り換わる。）の４つの運転モードがあり、操作基板２１にある切換ボタンを押してユーザーが希望のモードを選択できる。
【００７０】
また送風部の前部構成体Ａには本体基板１５の送風機９の空気吸い込み部分にルームサーミスタ１２を設け被暖房室内の温度を検知している。「自動」運転時にはルームサーミスタ１２が２６℃以上では過熱と判断し、温風ヒータ２３への通電を止める。運転停止時を含めいかなる運転モード時でも、ルームサーミスタ１２が４０℃を感知すると送風機９を風量０．４立方ｍ／分で運転し、送風部を過熱から保護する。またルームサーミスタ１２が５０℃以上になると、異常と判断しすべての負荷への通電を止める。
【００７１】
またルームサーミスタ１２にこだわることなく、本体にはヒータサーミスタ２７、過熱サーミスタ２６等多くの温度検知手段を備えているので、そのいずれかを使用して送風機９を運転し、送風部を過熱から保護することもできる。このように温度検知手段を備え、運転停止時でも所定温度以上では送風機９を運転するから、万一耐熱性の低い構成からなる「送風部」が高温になれば、送風機９を運転し「送風部」の構造体を冷却することができる。
【００７２】
またルームサーミスタ１２は被暖房室内の温度を検知するものであるから、正確さが望まれる。しかしながら蓄熱槽１からの熱の影響があるために、一般的には複雑な補正をかけることが多かった。
【００７３】
本実施の形態においては、ルームサーミスタ１２による室内温度の検知に先だって送風機９を風量１．０立方ｍ／分で３分間運転し、蓄熱槽１からの熱影響を軽減させた上で温度測定する。この間ユーザーの指示を待たせるわけにはいかないので、とりあえず暫定的に温度を判定し指示された運転を開始しておき、３分後に正式に温度測定結果により修正をかける。なお蓄熱槽１及びファンモータの発熱もあり、完全に熱影響を取り去ることは難しく、送風機９を３分間運転してもやはり測定値より３゜Ｃ差し引く補正は必要である。このようにして正確な室温を検知できる。
【００７４】
以上においてダンパー１７で、後部構成体Ｂの蓄熱槽１へのダンパ開口７を閉じ、清浄空気吹出口２０への送風経路を開けて送風機９を運転するために、送風部の冷却効果により蓄熱槽１の熱影響を軽減できるものである。
【００７５】
なお本発明は上記実施の形態に限定されるものではない。
【００７６】
【発明の効果】
本発明に係る蓄熱式暖房機は、暖房運転を停止したときダンパーにより蓄熱槽への送風経路が閉じられ、蓄熱槽の熱のダンパー開口部から送風機を備えた送風部への影響を軽減し、逆に送風部の熱は開いている空気排出口側への送風経路の自然対流により冷却される。また無駄に蓄熱槽の熱を放出することが軽減される。
【００７７】
また前記蓄熱槽を備えた蓄熱部と前記送風機を備えた送風部とを別々に構成し一体化してなるものであるから高温に蓄熱される蓄熱部の高温に耐えるどちらかと言えば高価になる構造体部分を限定し、送風機の冷却により比較的に低温である送風部の構造体を安価な構成となし得る。
【００７８】
また前記送風部に温度検知手段を備え、所定温度以上では暖房運転停止時であっても前記送風機を運転するから、万一耐熱性の低い構成からなる前記送風部が高温になれば、前記送風機を運転し前記送風部の構造体を冷却することができる。
【００７９】
また本発明では前記送風部に温度検知手段を備え、暖房運転中に前記温度検知手段による温度検知に先立ち前記送風機を運転するから、前記送風部の冷却効果により前記蓄熱槽からの熱影響を軽減させ、その補正を簡易化できる。
【図面の簡単な説明】
【図１】本発明の実施の形態にかかる蓄熱式暖房機のダンパー閉（蓄熱槽への送風経路を閉じ、空気排出口（清浄空気吹出口）への送風経路を開けた）状態の断面図である。
【図２】本発明の実施の形態にかかる蓄熱式暖房機のダンパー開（蓄熱槽への送風経路を開け、空気排出口（清浄空気吹出口）への送風経路を閉じた）状態の断面図である。
【図３】従来の蓄熱式暖房機の空気清浄機としての使用状態を示し、ダンパー閉（蓄熱槽への送風経路を閉じ、空気排出口（清浄空気吹出口）への送風経路を開けた）状態の断面図である。
【図４】従来の蓄熱式暖房機の蓄熱式電気ファンヒーター（暖房機）としての使用状態を示し、ダンパー開（蓄熱槽への送風経路を開け、空気排出口（清浄空気吹出口）への送風経路を閉じた）状態の断面図である。
【符号の説明】
Ａ  前部構成体（送風部）
Ｂ  後部構成体（蓄熱部）
１  蓄熱槽
５  蓄熱サーミスタ
６  蓄熱温度ヒューズ
７  ダンパ開口
８  ヒータ開口
９  送風機
１２  ルームサーミスタ
１３  空気清浄フィルタ
１５  本体基板
１７  ダンパー
２０  清浄空気吹出口（空気排出口）
２３  温風ヒータ
２４  温度ヒューズ
２５  温風吹出口
２６  過熱サーミスタ
２７  ヒータサーミスタ
２８  ルーバー
３０  前面パネル
３１  電気集塵機
３８  ヒータ開口部
【図１】
0003553341.tif 000002
【図２】
0003553341.tif 000003
【図３】
0003553341.tif 000004
【図４】
0003553341.tif 000005